(57)【特許請求の範囲】
【請求項１】
媒体収納部に収納された媒体を分離繰り出し手段により１枚づつ分離して搬送路に繰り出し、繰り出した媒体を処理部に搬送すると共に所定の処理を施す媒体処理装置において、
前記搬送路に沿って配置した複数の媒体収納部を備え、
前記複数の媒体収納部の１つは媒体を横に寝かせて収納するものとし、他の媒体収納部は、媒体を立てて収納するものとし、
それぞれの媒体収納部の側面を開口部として、媒体を横に寝かせて収納する媒体収納部の開口部に、収納した媒体の一側の位置を規制する位置規制部材を兼ねる扉を設け、
他の媒体収納部には媒体を載せるセレクタガイドを設けると共に、該セレクタガイドにおける媒体収納部の開口部側の一辺に段差部を設けて、この段差部により前記媒体収納部に収納した媒体の一側の位置を規制することを特徴とする媒体処理装置。
【請求項２】
請求項１において、
媒体を横に寝かせて収納する媒体収納部の媒体繰り出し口は、隣接する他の媒体収納部側に設けたことを特徴とする媒体処理装置。
【請求項３】
請求項１において、
媒体を横に寝かせて収納する媒体収納部は処理頻度が高い最短の媒体の長さに対応して形成し、
他の媒体収納部に設けたセレクタガイドは、前記最短の長さの媒体を含めて収納する媒体の長さに応じて位置を変更可能としたことを特徴とする媒体処理装置。
【請求項４】
請求項１において、
媒体を横に寝かせて収納する媒体収納部の開口部に設けた扉は透明材料で形成したことを特徴とする媒体処理装置。
【請求項５】
請求項１において、
セレクタガイドの四隅に係止爪を設け、媒体収納部の開口部に切り欠きを複数段設けると共に、該開口部と対向する面に係止孔を複数段設けて、所望の切り欠及び係止孔に前記係止爪を係止させることでセレクタガイドの位置を変更することを特徴とする媒体処理装置。
【発明の詳細な説明】
【０００１】
【発明の属する技術分野】
本発明は、媒体収納部から媒体を繰り出して所定の処理を施す媒体処理装置に関するものである。
【０００２】
【従来の技術】
交通旅客分野、あるいは観劇やコンサート等の娯楽分野の他、各種の分野においても、予約システムが発達している。
このようなシステムにおいては、予約形態に応じた多量の予約情報の管理を正確に行うため、従来より予約の自動化が推進されており、それに伴って各業種対応の券発行装置すなわち媒体処理装置が提案され、実用化されてきている。
【０００３】
図６はこの種の媒体処理装置の内部構成を示す側断面図である。
図において５１は装置の筐体で、この筐体５１のフロントパネルの上部には、オペレータにより操作される情報入力用の複数の操作キーを備えた操作部であるキーボード５２が設けられており、また、筐体５１上には情報表示のためのＣＲＴやＬＣＤ等の表示部５３が設けられている。
【０００４】
５４は筐体５１の上面に設けられた券排出口である。
５５は筐体５１内に配置されたプリンタ部であり、このプリンタ部５５は、プラテン５６と、該プラテン５６に対向するように配置された印字ヘッド５７と、リボン供給リール５８及びリボン巻き取りリール５９と、この両リール５８，５９に巻き付けられかつ前記印字ヘッド５７の前面を通過し得るようにセットされたインクリボン６０と、これら５６〜６０の構成要素を駆動する図示しないモーターやその動力伝達機構等を備えている。
【０００５】
６１は予約券となるべき未印字の媒体、６２は筐体５１内の底部に装着された媒体収納部で、媒体６１は媒体収納部６２内に立てて整列された状態で収納されている。
ここで、媒体収納部６２は、媒体６１のニアエンドを検知するための図示しないセンサや、他の必要な機構を含んでいる。
【０００６】
６３は媒体６１を挟持して搬送するためのベルト及びローラ等から成る搬送路で、この搬送路６３は媒体収納部６２の媒体繰り出し口とプリンタ部５５におけるプラテン５６と印字ヘッド５７とより成る印字位置、及びこの印字位置と券排出口５４とを結ぶように配置されている。
６５はプリンタ部５５の上方の位置に設けられたジャーナルプリンタ部で、このジャーナルプリンタ部６５は、ロール状に巻かれたジャーナル用紙６６と、プラテン６７と、該プラテン６７に対向するように配置された印字ヘッド６８と、筐体１の上面部に配置された巻き取りローラ６９ａ，６９ｂと、これら６６〜６９ａ，６９ｂの構成要素を駆動するモーターやその動力伝達機構等により構成されている。
【０００７】
ここで、ジャーナル用紙６６は、その支持部からプラテン６７と印字ヘッド６８との間を通り、筐体５１の上面に設けられた用紙排出口を経て、巻き取りローラ６９ａ，６９ｂ上に至るようにセットされている。
図７は上述した媒体処理装置の制御系を含む機能ブロック図である。
図において７０は装置全体を制御する主制御部で、この主制御部７０には前記キーボード５２、プリンタ部５５及びジャーナルプリンタ部６５と共に、表示制御部７１、排出口センサ７２、収納機構部７３、ＲＡＭ等のメモリ７４、通信制御部７５、及び搬送制御部７６が接続されていて、これらはすべて主制御部７０の支配下におかれている。
【０００８】
ここで、表示制御部７１は表示部５３による表示内容を制御するもので、排出口センサ７２は図６における券排出口５４での券の有無を検知するものである。収納機構部７３は媒体収納部６２に含まれるニアエンド検知用のセンサや、媒体６１を媒体収納部１２から繰り出す媒体繰り出し手段等によって構成されるものである。
【０００９】
また、メモリ７４はキーボード５２等から入力される情報を記憶しておくために用いられるもので、通信制御部７５はホスト装置と情報の授受を行うための所謂インターフェースである。
更に、搬送路制御部７６は、搬送路６３を成すベルトやローラ等を駆動する図示しないモーターやソレノイド等の駆動デバイス群７７及び搬送路６３により搬送される媒体６１の搬送状態等を検知するために搬送路６３に配置された複数のセンサから成るセンサ群７８を制御するものである。
【００１０】
この構成における券の発行動作は次の通りである。
例えば、航空機の搭乗券を発行する場合を例にとって説明すると、まず、オペレータが発着空港名や便名、座席番号、搭乗日時等の情報をキーボード５２により入力する。
この入力情報はメモリ７４に一時記憶され、同時に主制御部７０により通信制御部部７５を介してホスト装置との交信が行われ、このホスト装置のファイル部から前記の入力情報により特定される航空機の予約情報が検索される。
【００１１】
そして、検索された予約情報が通信制御部７５を介して主制御部７０に通知され、主制御部７０はその通知された情報をメモリ７４に一時記憶させると共に、表示制御部７１を介して表示部５３に表示させる。
これを見てオペレータが予約が可能か否かを判断し、可能であれば予約すべき座席番号及び券発行を指示する情報を入力する。
【００１２】
この入力された座席番号はメモリ７４に記憶され、同時に主制御部７０は収納機構部７３を駆動すると共に、搬送制御部７６を介して駆動デバイス群７７を駆動させる。
これにより媒体収納部６２から媒体６１が搬送路６３に繰り出され、この繰り出された媒体６１は搬送路６３によりプリンタ部５５に搬送されて印字すべき位置が印字ヘッド５７と対向する位置に位置決めされる。
【００１３】
その後、主制御部７０はプリンタ部５５に対してメモリ７４に記憶している前記の情報と印字の指示を送り、これにより印字ヘッド５７はインクリボン６０を介して前記の情報を媒体６１に印字する。
印字が終了すると、主制御部７０は搬送制御部７６を介して駆動デバイス群７７を駆動し、これにより媒体６１は搬送路６３によりプリンタ部５５から券排出口５４に向かって搬送され、図示しないシャッターが開いて前記の媒体６１が搭乗券として券排出口５４から排出される。
【００１４】
尚、ジャーナルプリンタ６５は、前記の処理に係わる保存用の発券情報を印字出力するもので、印字ヘッド６８によりジャーナル用紙６６に発券情報の印字を行い、その後ジャーナル用紙６６は巻き取りローラ６９ａ，６９ｂにより巻き取られる。
【００１５】
【発明が解決しようとする課題】
しかしながら上述した従来の技術では以下の問題がある。
すなわち、近年予約業務等の多様化に伴って、同一装置で複数種類の券を処理する機能が要求され、そのためこの複数種類の券に対応する複数種類の媒体を装置内に保持する必要が生じているが、その一方で装置の小型化、低コスト化という要求もあり、このようなユーザーの要求に対応する装置が求められている。
【００１６】
同一装置で複数種類の券を処理する媒体処理装置の１つとして、同一の幅でかつ長さの異なる媒体を取り扱う装置が考えられるが、この種の装置においては当然のことながら、媒体の種類によって発行頻度、言い換えれば処理頻度が異なることになる。
その場合、上述した従来の装置を適用し、媒体収納部の数を単に増加した構成を採用すると、小型化、低コスト化というユーザーの要求に応えられず、しかも処理頻度の高い媒体を充分に装置内に保有できないという問題がある。
【００１７】
従って、本発明は、複数の媒体収納部を有する媒体処理装置において、装置の小型化、低コスト化を図り、かつ処理頻度の高い媒体を充分に装置内に保有することが可能な構造を実現することを課題としている。
【００１８】
【課題を解決するための手段】
そのため、本発明は、媒体収納部に収納された媒体を分離繰り出し手段により１枚づつ分離して搬送路に繰り出し、繰り出した媒体を処理部に搬送すると共に所定の処理を施す媒体処理装置において、前記搬送路に沿って配置した複数の媒体収納部を備え、前記複数の媒体収納部の１つは媒体を横に寝かせて収納するものとし、他の媒体収納部は、媒体を立てて収納するものとし、それぞれの媒体収納部の側面を開口部として、媒体を横に寝かせて収納する媒体収納部の開口部に、収納した媒体の一側の位置を規制する位置規制部材を兼ねる扉を設け、他の媒体収納部には媒体を載せるセレクタガイドを設けると共に、該セレクタガイドにおける媒体収納部の開口部側の一辺に段差部を設けて、この段差部により前記媒体収納部に収納した媒体の一側の位置を規制することを特徴とする。
【００１９】
【発明の実施の形態】
以下に図面を参照して本発明の実施の形態について説明する。
図１は本発明による媒体処理装置の実施の形態を示す概略斜視図、図２は実施の形態の要部側面である。
図において１は装置の筐体であり、この筐体１の上部にはオペレータにより操作される情報入力用の複数の操作キーを備えた操作部としての図示しないキーボード、及び情報表示のためのＣＲＴやＬＣＤ等の図示しない表示部が設けられている。
【００２０】
４１は筐体１に対して出入可能とした媒体処理機構ユニット、４２はジャーナル用紙４３に媒体発行毎にその処理情報等を印字するジャーナルプリンタ部、４４は装置の電源、４５は装置全体の制御を行う制御部であり、ジャーナルプリンタ部４３、電源４４、及び制御部４５は筐体１内の媒体処理機構ユニット４１の収納部に隣接する空間に配置されている。
【００２１】
媒体処理機構ユニット４１は、正面上部に縦方向に２段に設けられた媒体挿入口２と媒体排出口３を有しており、また内部には複数の媒体収納部４ａ〜４ｃ、分離繰り出し部５，６、一時スタック部７、回収スタック部８ａ，８ｂ、券処理用の処理部としてのプリンタ部９、搬送路１３ａ〜１３ｋ、バーコードリーダ１４、磁気情報読み取り用の処理部としての磁気リード部１６、磁気情報書き込み用の処理部としての磁気ライト部１６、切り替えブレード１７ａ〜１７ｆ、集積繰り出し部１８、及び媒体１９ａ〜１９ｃを備えている。
【００２２】
ここで媒体収納部４ａ〜４ｃは、ユニット下部において正面から奥行きの方向つまり搬送路１３ｋによる媒体搬送方向に沿って並ぶように形成されていて、媒体収納部４ａは筐体１に対する媒体処理機構ユニット４１の引き出し方向の一番手前側つまり装置の正面側に位置しており、これら媒体収納部４ａ〜４ｃの各々一側には開口部が形成されている。
【００２３】
媒体収納部４ａは長手方向の長さが最短の媒体１９ａ専用のもので、媒体１９ａを横に寝かせて収納するように形成され、この媒体収納部４ａの開口部のみに扉２０が設けられている。
この扉２０は透明材料で形成されていて、媒体収納部４ａ内の媒体１９ａの量を外部から目視により確認できると共に、媒体１９ａの搬送方向に対する直交方向へのずれを防止するための位置規制部材としての役割も果たすものとなっている。
【００２４】
また、媒体収納部４ａの媒体繰り出し口は、隣接した媒体収納部４ｂ側に設けられていて、この媒体繰り出し口に対応するようにピックアップローラー，フィードローラー，及びリバースローラーから成る分離繰り出し部５が設けられている。
媒体収納部４ｂと４ｃは長さの異なる媒体１９ａ〜１９ｃのいずれか１つを立てて収納する部位で、この媒体収納部４ｂ，４ｃは互いの媒体繰り出し口が対向するように設けられていて、双方の媒体繰り出し口の中間に位置するように分離繰り出し部６が設けられている。
【００２５】
この分離繰り出し部６は、ピックアップローラ、フィードローラー、及びこのフィードローラーの両脇に位置する２個のリバースローラーにより構成されていて、前記ピックアップローラは媒体収納部４ｂ，４ｃの双方の媒体繰り出し口間を揺動できるように支持されており、ピックアップローラとフィードローラーの回転方向を切り替えることで媒体収納部４ｂと４ｃのいずれか一方から収納媒体を繰り出すことができるものとなっている。
【００２６】
一時スタック部７は媒体収納部４ａの上方に配置されていて、この一時スタック部７の媒体出入口にピックアップローラ，フィードローラー，及びリバースローラーから成る集積繰り出し部１８が設けられており、そして一時スタック部７と上方の媒体排出口３との間に回収スタック部８ａと８ｂが２段に配置されている。
【００２７】
プリンタ部９は、プラテン１０と、このプラテン１０と対向するように配置された印字ヘッド１１、この両者間を通過するようにセットされたインクリボン１２、及びこれらを駆動する図示しないモーターやその動力伝達機構等を備えており、このプリンタ部９はユニット上部に配置されている。
搬送路１３ａ〜１３ｋは、媒体を挟持して搬送するベルト及びこのベルトを支持してモーター等により回転するローラー等によって構成され、これらの搬送路１３ａ〜１３ｋによって媒体挿入口２、媒体排出口３、分離繰り出し部５，６、プリンタ部９，集積繰り出し部１８が結ばれていて、この搬送路１３ａ〜１３ｋの分岐，合流部に搬送方向を切り替える回動可能なブレード１７ａ〜１７ｆが設けられている。
【００２８】
更に、搬送路１３ａには媒体挿入口２から挿入された媒体のバーコードを読み取る識別情報読み取り手段としてのバーコードリーダ１４が設けられ、また搬送路１３ｇには媒体１９ａ〜１９ｃに設けられている磁気ストライプに対して磁気情報の読み取り及び書き込みを行う磁気リード部１５と磁気ライト部１６が設けられている。
【００２９】
図３は前記媒体収納部４ａの斜視図で、この図に示したように媒体収納部４ａは媒体１９ａの長さに対応する長さに形成されていて、内部に媒体１９ａの長さと同等の長さを有するステージ２１を有しており、このステージ２１上に媒体１９ａを横に寝かせた状態で積層してセットするものとなっている。
尚、ステージ２１は、図示しないモーターとその回転力を伝達するギアやプーリ及びベルト等を備えた伝達機構からなるステージ駆動機構によって上昇及び下降できるものとなっている。
【００３０】
図４は前記媒体収納部４ｂの斜視図で、この図に示したように媒体収納部４ｂにはセレクタガイド（底板）２２が設けられており、このセレクタガイド２２上に媒体１９ａ〜１９ｃのいずれかを立てた状態でセットするようになっている。このセレクタガイド２２の四隅には爪２３が形成されていて、この爪２３に対応するように媒体収納部４ｂの開口部側には切り欠き２５が上下方向に複数設けられており、この開口部と対向する面には係止孔２６が切り欠き２５と同様に上下方向に複数設けられていて、媒体収納部４ｂに向かってセレクタガイド２２の両側を所望の高さの切り欠き２５に嵌めて挿入し、その挿入方向における先端側の爪部２３を係止孔２６に係止させると、挿入方向の後端側の爪部２３も切り欠き２５係止され、これによりセレクタガイド２２を係止、固定できるようになっている。
【００３１】
つまり、セレクタガイド２２は、１９ａ〜１９ｃの長さに応じて上下方向に固定位置を変更することが可能となっており、最上段の切り欠き２５及び係止孔２６によりセレクタガイド２２を固定した場合は最短の１９ａに対応し、中央の切り欠き２５及び係止孔２６によりセレクタガイド２２を固定した場合は２番目に短い媒体１９ｂに、最下段の切り欠き２５及び係止孔２６によりセレクタガイド２２を固定した場合は１番長さの長い媒体１９ｃにそれぞれ対応するものとなっている。
【００３２】
また、セレクタガイド２２には、媒体収納部４ｂの開口部側に対応する辺に段差部２４が曲折形成されており、セレクタガイド２２上にセットされる媒体１９ａ〜１９ｃはこの段差部２４により一側を揃えられるようになっている。
更に、セレクタガイド２２の上方には、媒体積層方向に移動可能な媒体押さえ板２７が設けられていて、この媒体押さえ板２７は上下方向２個所が図示しないコイルスプリング等の押圧手段の押圧力を受けており、セレクタガイド２２上の媒体１９ａ〜１９ｃは媒体押さえ板２７により媒体繰り出し口側に段差部２４に沿って常時押し付けられるものとなっている。
【００３３】
尚、図示しないが媒体収納部４ｃも媒体収納部４ｂと同様に構成されている。図５は実施の形態における各媒体１９ａ〜１９ｃの例を示した平面図である。この図に示したように媒体１９ａ〜１９ｃは短手方向の長さつまり幅は同一であって、長手方向の長さが異なっている。
この媒体１９ａ〜１９ｃの使用例としては、例えば、本実施の形態の媒体処理装置を航空券を発行する券発行装置に適用した場合、最短の長さを有する媒体１９ａは国内線の航空券として発券される国内ＡＴＢ券や、航空券と一緒に渡す明細書、キャンセル待ちの客に配る空席待ち整理券の使用が考えられる。
【００３４】
また、媒体１９ｂは国際線の航空券として発券されるＩＡＴＡ券、媒体１９ｃは同じく国際線の航空券として発券されるＩＡＴＡスタブ付き券の使用が考えられ、媒体１９ｃは媒体１９ｂよりスタブの分だけ長くなっている。
次に上述した構成の作用について説明する。
まず、券発行処理について簡単に説明する。
【００３５】
いま、図２に示したように媒体収納部４ａに媒体１９ａが、媒体収納部４ｂに媒体１９ｂが、媒体収納部１９ｃに媒体１９ｃがそれぞれ収納されている状態において、挿入口２から引換え券等の交換用媒体が挿入されると、その交換用媒体に設けられているバーコードがバーコードリーダー１４で読み取られる。
その後、交換用媒体は搬送路１３ａ，１３ｄから１３ｇへと送られて、この搬送路１３ｇに設けられている磁気リード部１５により交換用媒体に設けられている磁気ストライプの情報が読み取られた後、搬送路１３ｈに搬送され、集積繰り出し手段１８により一時スタック部７に集積される。
【００３６】
制御部４５はバーコードリーダー１４及び磁気リード部１５から送られてきた情報に基づいて媒体１９ａ〜１９ｃのいずれかを選択して媒体収納部４ａ〜４ｃから繰り出させる。
例えば、媒体１９ａが選択された場合、分離繰り出し手段５が駆動され、媒体収納部４ａからステージ２１上の最上位の媒体１９ａが搬送路１３ｋに繰り出される。
【００３７】
また、媒体１９ｂが選択された場合、分離繰り出しローラ手段６のピックアップローラーが媒体収納部４ｂ側に揺動して媒体１９ｂに当接した後、分離繰り出し手段６が駆動されて媒体収納部４ｂから媒体１９ｂが搬送路１３ｊへ繰り出され、搬送路１３ｋに送られる。
更に、媒体１９ｃが選択された場合、分離繰り出しローラ手段６のピックアップローラーが媒体収納部４ｃ側に揺動して媒体１９ｃに当接した後、分離繰り出し手段６が駆動されて媒体収納部４ｃから媒体１９ｃが搬送路１３ｉへ繰り出され、搬送路１３ｋに送られる。
【００３８】
この媒体１９ａ，１９ｂ，または１９ｃは搬送路１３ｋから搬送路１３ｇに送られ、この搬送路１３ｇに設けられている磁気ライト部１６により媒体１９ａ，１９ｂ，または１９ｃの磁気ストライプに所定の情報が書き込まれた後、磁気リード部１５により磁気ライト部１６で書き込まれた情報が読み取られる。
この読み取られた情報は制御部４５に送られてチェックされ、正当な情報であることが認識されると、媒体１９ａ，１９ｂ，または１９ｃは搬送路１３ｃに送られる。
【００３９】
そして、この搬送路１３ｃの途中でプリンタ部９の印字ヘッド１１によりインクリボン１２を介して所定の印字が行われ、印字後搬送路１３ｂに送られて排出口３に排出される。
その後、一時スタック部７に集積されている交換用媒体が集積繰り出し手段１８により繰り出され、搬送路１３中で磁気ライト部１６により引換え処理終了等のデータが書き込まれたのち搬送路１３ｆを経て搬送路１３ｅに送られ、回収スタッカ部８ａまたは８ｂに集積される。
【００４０】
尚、上述した発券処理は引換え券等の交換用媒体と引換えに媒体１９ａ，１９ｂ，または１９ｃに処理を行って発行する例を説明したか、図示しないキーボード等からの入力データに基づいて媒体１９ａ，１９ｂ，または１９ｃを媒体収納部４ａ〜４ｂから繰り出し、所定の処理を行って発行することも行われる。
次に、３種類の媒体１９ａ〜１９ｃを媒体収納部４ａ〜４ｃに収納セットする場合について説明する。
【００４１】
まず、オペレータは筐体１に媒体処理機構ユニット４１をロックしている図示しないロック機構を解除し、媒体処理機構ユニット４１を図１に示したように筐体１から引き出す。
このとき、媒体収納部４ａのステージ２１のステージ駆動機構を成す媒体処理機構ユニット４１側のギアと筐体１側のギアの噛み合いが外れ、ステージ２１が自重により媒体収納部４ａの下限位置まで下降する。
【００４２】
この状態でオペレータは媒体収納部４ａの扉２０を開き、媒体１９ａを横に寝かせて上下方向に積層するようにステージ２１上にセットする。
セット後、オペレータが扉２０を閉じると、このとき媒体１９ａの側面が不揃いであっても、扉２０の内面により媒体１９ａが押されて一様に揃えられる。
一方、媒体収納部４ｂ，４ｃに対しては、媒体１９ｂを媒体収納部４ｂへ、媒体１９ｃへ収納するものとすると、オペレータは媒体収納部４ｂのセレクタガイド２１の位置を媒体１９ｂの長さに合わせて変更し、また媒体収納部４ｃのセレクタガイド２１の位置を媒体１９ｃの長さに合わせて変更する。
【００４３】
このセレクタガイド２１の位置の変更は前述したように行う。
更に、オペレータはそれぞれの媒体収納部４ｂ，４ｃの媒体押さえ板２７を押圧手段に抗して媒体繰り出し口と反対側の方向へ移動させる。
これにより媒体押さえ板２７は移動の最大位置で図示しないロック手段によってロックされるので、この状態でオペレータは媒体収納部４ｂ，４ｃのセレクタガイド２１上に媒体１９ｂ，１９ｃをそれぞれ立てて前後方向に積層するようにセットする。
【００４４】
その際、セレクタガイド２１の段差部２４により媒体１９ｂ，１９ｃの一側が位置規制され、一様に揃えられる。
セット後、オペレータが媒体押さえ板２７のロックを解除すると、これによりセットした媒体１９ｂ，１９ｃは媒体押さえ板２７によりセレクタガイド２１の段差部２４に沿って媒体繰り出し口側に押し付けられる。
【００４５】
このようにして媒体収納部４ａ〜４ｃに媒体１９ａ〜１９ｃを収納した後、オペレータが媒体処理機構ユニット４１を筐体１に押し込むと、媒体処理機構ユニット４１は図示しないロック機構によりロックされて装着されると共に、媒体収納部４ａのステージ２１のステージ駆動機構における媒体処理機構ユニット４１側のギアと、筐体１側のギアが噛み合う。
【００４６】
同時に図示しないセンサーによって媒体処理機構ユニット４１の装着が検知され、この検知に基づいて制御部４５はステージ駆動機構を駆動すると、ステージ２１が上昇して最上位の媒体１９ａが分離繰り出し手段５に当接し、そしてステージ２１上の最上位の媒体１９ａが繰り出し位置まできたことが図示しないセンサーにより検知されるとステージ２１の上昇が停止される。
【００４７】
この状態で装置は券の発行処理が可能となる。
券の発行に際して、媒体収納部４ａに収納されている媒体１９ａは分離繰り出し手段５により水平方向に繰り出されて搬送され、また媒体収納部４ｂ及び４ｃに収納されている媒体１９ｂ，１９ｃは分離繰り出し手段６によりそれぞれ垂直方向に繰り出された後、水平方向に変換されて搬送されるが、媒体１９ａは扉２０の内面により一側が揃うように位置規制され、また媒体１９ｂ，１９ｃもそれぞれセレクタガイド２１の段差部２４により一側が揃うように位置規制されて、各々搬送方向と直交する方向への位置ずれが防止されるため、媒体１９ａ〜１９ｃの安定した繰り出し、搬送が可能となり、更にはこれらの媒体１９ａ〜１９ｃを図示しない搬送基準面に沿って搬送して磁気上方書き込み位置や印字位置へ正確に送ることが可能となる。
【００４８】
券の発行により媒体収納部４ａ〜４ｃの媒体１９ａ〜１９ｃが不足した場合、あるいは装置を操作するオペレータの交代時等に媒体１９ａ〜１９ｃを補充する場合、前記のように媒体処理機構ユニット４１を筐体１から引き出し、媒体１９ａ〜１９ｃを適宜に補充するが、本発明では一番発行頻度が高い最短の媒体１９ａを収納する媒体収納部４ａが媒体処理機構ユニット４１の引き出し方向の一番手前側に配置されているので、この媒体１９ａの補充を容易かつ迅速に行うことができ、しかも媒体収納部４ｂ，４ｃが媒体１９ａ〜１９ｃを立てて収納するのに対して媒体収納部４ａは媒体１９ａを横に寝かせて収納するので発行頻度が高い媒体１９ａを多量に収納できることになる。
【００４９】
尚、上述した実施の形態では、媒体収納部４ａに最短の媒体１９ａを収納すると共に、媒体収納部４ｂに２番目に長い媒体１９ｂを収納し、媒体収納部４ｃに１番長い媒体４ｃを収納するものとしたが、最短の媒体１９ａ専用の媒体収納部４ａ以外は装置の運用形態に応じて媒体１９ａ〜１９ｃのいずれかを収納するものすればよく、その場合オペレータが媒体収納部４ｂ，４ｃに収納する媒体の種類をキーボード等により入力して制御部４５に認識させればよい。
【００５０】
また、上述した実施の形態では、媒体１９ａ〜１９ｃを航空券としてその処理を行う装置に適用した例について説明したが、航空券以外にも長さの異なる複数種類の媒体を処理する装置であれば適用できることは無論である。
更に、上述した実施の形態では、媒体収納部４ｂ，４ｃにそれぞれ切り欠き２５及び係止孔２６を上下３段に設けるものとしたが、これに限られるものではなく、処理する媒体の種類による長さに応じて増減すればよい。
【００５１】
以上説明したように、本発明は、媒体収納部に収納された媒体を分離繰り出し手段により１枚づつ分離して搬送路に繰り出し、繰り出した媒体を処理部に搬送すると共に所定の処理を施す媒体処理装置において、前記搬送路に沿って配置した複数の媒体収納部を備え、前記複数の媒体収納部の１つは媒体を横に寝かせて収納するものとし、他の媒体収納部は、媒体を立てて収納するものとし、それぞれの媒体収納部の側面を開口部として、媒体を横に寝かせて収納する媒体収納部の開口部に、収納した媒体の一側の位置を規制する位置規制部材を兼ねる扉を設け、他の媒体収納部には媒体を載せるセレクタガイドを設けると共に、該セレクタガイドにおける媒体収納部の開口部側の一辺に段差部を設けて、この段差部により前記媒体収納部に収納した媒体の一側の位置を規制するものとしている。
【００５２】
従って、これによれば、複数の媒体収納部を搬送路に沿って配置し、それぞれの媒体収納部の側面を開口部として、媒体を横に寝かせて収納する媒体収納部の開口部に、収納した媒体の一側の位置を規制する位置規制部材を兼ねる扉を設け、媒体を立てて収納する他の媒体収納部には媒体を載せるセレクタガイドを設けると共に、該セレクタガイドにおける媒体収納部の開口部側の一辺に段差部を設けて、この段差部により前記媒体収納部に収納した媒体の一側の位置を規制する構造としているため、媒体収納部がコンパクトになり、媒体を整列して効率よく収納できると共に搬送路も複雑に構成する必要がなくなるので、装置の小型化，低コスト化を図ることが可能となり、同一装置で複数種類の券の処理を行う小型で低コストな装置を求めるユーザのニーズに応えることができるという効果が得られる。
【００５３】
また、複数の媒体収納部の１つは媒体を横に寝かせて収納し、他の媒体収納部は、媒体を立てて収納する構成としているため、媒体を横に寝かせて収納する媒体収納部はセレクタガイドを設ける必要がなく、媒体収納部全体を媒体の収納に利用できることになる。そのため、単一の収納部同士として比較すれば、媒体を横に寝かせて収納する媒体収納部の媒体収納量を、媒体を立てて収納する媒体収納部の媒体収納量より大きくすることができ、従ってこの媒体を横に寝かせて収納する媒体収納部に処理頻度の高い媒体を収納することで、充分な媒体量を保持できるという効果が得られ、しかも媒体を立てて収納する媒体収納部は任意の長さの媒体を収納可能とすることで、装置の運用形態が広がるという効果も得られる。
【図面の簡単な説明】
【図１】本発明による媒体処理装置の実施の形態を示す概略斜視図である。
【図２】図１の実施の形態の要部側面図である。
【図３】実施の形態における媒体収納部の斜視図である。
【図４】実施の形態における別の媒体収納部の斜視図である。
【図５】実施の形態における媒体の種類を示す平面図である。
【図６】従来の媒体処理装置の内部構成を示す側面図である。
【図７】従来の媒体処理装置の機能ブロック図である。
【符号の説明】
１  筐体
２  挿入口
３  排出口
４ａ〜４ｃ  媒体収納部
５，６  分離繰り出し手段
９  プリンタ部
１１  印字ヘッド
１２  インクリボン
１３ａ〜１３ｋ  搬送路
１９ａ〜１９ｃ  媒体
２０  扉
２１  ステージ
２２  セレクタガイド
２３  係止爪
２４  段差部
２５  切り欠き
２６  係止孔
２７  媒体押さえ板
４１  媒体処理機構ユニット
４５  制御部
【図１】
0003759318.tif 000002
【図２】
0003759318.tif 000003
【図３】
0003759318.tif 000004
【図４】
0003759318.tif 000005
【図５】
0003759318.tif 000006
【図６】
0003759318.tif 000007
【図７】
0003759318.tif 000008